【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
撮像光学系の形成する光学像から被写体の画像を取得する撮像素子と、
前記撮像光学系と前記被写体との間の距離情報を取得する取得手段と、
前記距離情報に基づき前記画像に対応した距離マップを生成する生成手段と、
前記撮像素子が取得した前記画像を表示部に表示する表示制御手段と、
前記画像を表示した前記表示部へのユーザのタッチ操作を検出し、前記ユーザがタッチした位置に対応する前記画像における位置を検出する検出手段と、
前記検出手段が検出した位置における距離情報を前記距離マップから取得し、取得した前記距離情報に応じて、前記位置をフォーカスポイントに設定する、又は、前記位置を含む前記画像の一部の領域を切り出した拡大画像を前記表示部に表示するように構成された制御手段と
を有することを特徴とする撮像装置。
【請求項２】
前記検出手段は、前記拡大画像を表示した前記表示部への前記ユーザのタッチ操作を検出し、前記ユーザがタッチした位置に対応する前記拡大画像における位置を検出し、
前記制御手段は、前記拡大画像の前記位置の前記距離情報を前記距離マップから取得し、取得した前記位置をフォーカスポイントに設定するように構成されている
ことを特徴とする請求項１記載の撮像装置。
【請求項３】
前記制御手段は、設定した前記フォーカスポイントにおいて合焦するように、取得した前記距離情報に基づいて前記撮像光学系のフォーカス位置を制御するように構成されている
ことを特徴とする請求項１又は２記載の撮像装置。
【請求項４】
前記制御手段は、前記撮像光学系を前記画像の前記位置に合焦するフォーカス位置に制御した状態で取得した前記画像から前記拡大画像を切り出すように構成されている
ことを特徴とする請求項１乃至３のいずれか１項に記載の撮像装置。
【請求項５】
前記制御手段は、
前記距離マップに基づき、取得した前記画像の前記位置を中心とする領域の距離ヒストグラムを生成し、
前記距離ヒストグラムからピークを示すデータ区間を検出し、
前記ピークを示すデータ区間の度数の全体のデータ数に占める割合に基づいて、前記フォーカスポイントの設定か前記拡大画像の表示かを判定するように構成されている
ことを特徴とする請求項１乃至４のいずれか１項に記載の撮像装置。
【請求項６】
前記制御手段は、前記距離ヒストグラムが単一距離パターンであるときに前記フォーカスポイントを設定し、前記距離ヒストグラムが単独ピークパターン又は複数ピークパターンであるときに前記拡大画像を表示するように構成されている
ことを特徴とする請求項５記載の撮像装置。
【請求項７】
前記制御手段は、取得した前記距離情報と同じ距離情報を示す部分の前記拡大画像に占める割合が所定値となるように、前記画像から切り出す前記拡大画像の範囲を設定するように構成されている
ことを特徴とする請求項１乃至６のいずれか１項に記載の撮像装置。
【請求項８】
前記制御手段は、
前記拡大画像に対応する距離マップをもとに生成した距離ヒストグラムを前記表示部に表示し、
前記表示部に表示した前記距離ヒストグラムへのユーザのタッチ操作を検出し、
前記ユーザがタッチした前記距離ヒストグラムのデータ区間に対応する距離情報を示す位置をフォーカスポイントに設定するように構成されている
ことを特徴とする請求項１乃至７のいずれか１項に記載の撮像装置。
【請求項９】
前記制御手段は、前記距離ヒストグラムの表示からの経過時間が所定値を超えた場合に、前記距離ヒストグラムよりもデータ区間の解像度を高くした第２の距離ヒストグラムを生成し、前記表示部に表示するように構成されている
ことを特徴とする請求項８に記載の撮像装置。
【請求項１０】
撮像光学系の形成する光学像から被写体の画像を取得する撮像素子と、前記撮像光学系と前記被写体との間の距離情報を取得する手段と、前記撮像素子が取得した前記画像を表示する表示部と、前記画像を表示した前記表示部へのユーザのタッチ操作を検出する手段とを有する撮像装置の制御方法であって、
取得した前記距離情報に基づき前記画像に対応した距離マップを生成するステップと、
取得した前記画像を前記表示部に表示するステップと、
前記表示部へのユーザのタッチ操作を検出し、前記ユーザがタッチした位置に対応する前記画像における位置を取得するステップと、
取得した前記画像の前記位置における前記距離情報を前記距離マップから取得するステップと、
取得した前記距離情報に応じて、前記位置をフォーカスポイントに設定し、又は、前記位置を含む前記画像の一部の領域を切り出した拡大画像を前記表示部に表示するステップと
を有することを特徴とする撮像装置の制御方法。
【請求項１１】
撮像光学系の形成する光学像から被写体の画像を取得する撮像素子と、前記撮像素子が取得した前記画像を表示する表示部と、前記表示部へのユーザのタッチ操作を検出する手段とを有する撮像装置を制御するプログラムであって、
コンピュータを、
前記撮像光学系と前記被写体との間の距離情報を取得する手段、
前記距離情報に基づき前記画像に対応した距離マップを生成する手段、
前記画像を表示した前記表示部の前記ユーザがタッチした位置に対応する前記画像における位置を検出する手段、
取得した前記画像の前記位置における前記距離情報を前記距離マップから取得し、取得した前記距離情報に応じて、前記位置をフォーカスポイントに設定し、又は、前記位置を含む前記画像の一部の領域を切り出した拡大画像を前記表示部に表示する手段
として機能させるプログラム。
【請求項１２】
請求項１１のプログラムを記録したコンピュータが読み取り可能な記憶媒体。
【請求項１３】
コンピュータを、請求項１乃至９のいずれか１項に記載の撮像装置の各手段として機能させるプログラム。
【請求項１４】
コンピュータを、請求項１乃至９のいずれか１項に記載された撮像装置の各手段として機能させるプログラムを格納した記憶媒体。
【請求項１５】
撮像素子により撮影された被写体の画像と、前記撮像素子と前記被写体との間の距離情報に対応したマップ情報と、を取得する取得手段と、
前記マップ情報に基づき距離ヒストグラムを生成する生成手段と、
前記画像と、前記画像に対応する前記距離ヒストグラムと、を表示部に表示する表示制御手段と、
前記表示部に表示した前記距離ヒストグラムへのユーザによるタッチ操作を検出する検出手段と、
前記画像内において前記ユーザがタッチした前記距離ヒストグラムのデータ区間に対応する前記距離情報を示すエリアを、フォーカスエリアとして設定する設定手段と
を有することを特徴とする情報処理装置。
【請求項１６】
前記表示制御手段は、前記画像と前記距離ヒストグラムとを前記表示部に同時に表示する
ことを特徴とする請求項１５記載の情報処理装置。
【請求項１７】
前記表示制御手段は、データ区間の各々が異なるように表された前記距離ヒストグラムを表示する
ことを特徴とする請求項１５記載の情報処理装置。
【請求項１８】
前記表示制御手段は、データ区間毎に異なる色又はパターンで表された前記距離ヒストグラムを表示し、
前記表示制御手段は、前記画像の、前記データ区間の各々に対応する距離に位置する被写体に、前記データ区間と同じ色又はパターンを付けて表示する
ことを特徴とする請求項１５記載の情報処理装置。
【請求項１９】
前記表示制御手段は、データ区間毎に異なるＧＵＩを備えた前記距離ヒストグラムを表示する
ことを特徴とする請求項１５記載の情報処理装置。
【請求項２０】
前記設定手段は、前記生成手段により生成された前記距離ヒストグラムの分布に基づいて前記フォーカスエリアを自動的に設定する
ことを特徴とする請求項１５記載の情報処理装置。
【請求項２１】
前記生成手段は、解像度が互いに異なる複数の前記距離ヒストグラムを生成する
ことを特徴とする請求項１５記載の情報処理装置。
【請求項２２】
前記設定手段により設定された前記フォーカスエリアに基づいて、前記撮像素子に前記被写体の光学像を形成するための撮像光学系のフォーカス位置制御機構の動作を制御する焦点制御部を更に有する
ことを特徴とする請求項１５記載の情報処理装置。
【請求項２３】
撮像素子により撮影された被写体の画像と、前記撮像素子と前記被写体との間の距離情報に対応したマップ情報と、を取得するステップと、
前記マップ情報に基づき距離ヒストグラムを生成するステップと、
前記画像と、前記画像に対応する前記距離ヒストグラムと、を表示部に表示するステップと、
前記表示部に表示した前記距離ヒストグラムへのユーザによるタッチ操作を検出するステップと、
前記画像内において前記ユーザがタッチした前記距離ヒストグラムのデータ区間に対応する前記距離情報を示すエリアを、フォーカスエリアとして設定するステップと
を有することを特徴とする情報処理方法。
【手続補正２】
【補正対象書類名】明細書
【補正対象項目名】０００７
【補正方法】変更
【補正の内容】
【０００７】
本発明の一観点によれば、撮像光学系の形成する光学像から被写体の画像を取得する撮像素子と、前記撮像光学系と前記被写体との間の距離情報を取得する取得手段と、前記距離情報に基づき前記画像に対応した距離マップを生成する生成手段と、前記撮像素子が取得した前記画像を表示部に表示する表示制御手段と、前記画像を表示した前記表示部へのユーザのタッチ操作を検出し、前記ユーザがタッチした位置に対応する前記画像における位置を検出する検出手段と、前記検出手段が検出した位置における距離情報を前記距離マップから取得し、取得した前記距離情報に応じて、前記位置をフォーカスポイントに設定する、又は、前記位置を含む前記画像の一部の領域を切り出した拡大画像を前記表示部に表示するように構成された制御手段とを有することを特徴とする撮像装置が提供される。
【手続補正３】
【補正対象書類名】明細書
【補正対象項目名】０００８
【補正方法】変更
【補正の内容】
【０００８】
また、本発明の他の一観点によれば、撮像光学系の形成する光学像から被写体の画像を取得する撮像素子と、前記撮像光学系と前記被写体との間の距離情報を取得する手段と、前記撮像素子が取得した前記画像を表示する表示部と、前記画像を表示した前記表示部へのユーザのタッチ操作を検出する手段とを有する撮像装置の制御方法であって、取得した前記距離情報に基づき前記画像に対応した距離マップを生成するステップと、取得した前記画像を前記表示部に表示するステップと、前記表示部へのユーザのタッチ操作を検出し、前記ユーザがタッチした位置に対応する前記画像における位置を取得するステップと、取得した前記画像の前記位置における前記距離情報を前記距離マップから取得するステップと、取得した前記距離情報に応じて、前記位置をフォーカスポイントに設定し、又は、前記位置を含む前記画像の一部の領域を切り出した拡大画像を前記表示部に表示するステップとを有することを特徴とする撮像装置の制御方法が提供される。
また、本発明の更に他の一観点によれば、撮像素子により撮影された被写体の画像と、前記撮像素子と前記被写体との間の距離情報に対応したマップ情報と、を取得する取得手段と、前記マップ情報に基づき距離ヒストグラムを生成する生成手段と、前記画像と、前記画像に対応する前記距離ヒストグラムと、を表示部に表示する表示制御手段と、前記表示部に表示した前記距離ヒストグラムへのユーザによるタッチ操作を検出する検出手段と、前記画像内において前記ユーザがタッチした前記距離ヒストグラムのデータ区間に対応する前記距離情報を示すエリアを、フォーカスエリアとして設定する設定手段とを有する情報処理装置が提供される。